(57)【要約】  試料に非集束のイオンビームを照射することにより、試料を加工するイオンミリング装置の加工精度、または加工面形状の再現精度を高める。このため、試料室６と、試料室に設置されるイオン源位置調整機構５と、イオン源位置調整機構を介して試料室に取り付けられ、イオンビームを射出するイオン源１と、回転中心を軸に回転する試料ステージ２とを有し、イオンビームのイオンビーム中心Ｂ0と回転中心Ｒ0とが一致するときの回転中心の延在する方向をＺ方向とし、Ｚ方向と垂直な面をＸＹ面とすると、イオン源位置調整機構５は、イオン源１のＸＹ面上の位置及びＺ方向の位置を調整可能とする。
2019167165.tif 000002
【特許請求の範囲】
【請求項１】
試料に非集束のイオンビームを照射することにより、前記試料を加工するイオンミリング装置であって、
試料室と、
前記試料室に設置されるイオン源位置調整機構と、
前記イオン源位置調整機構を介して前記試料室に取り付けられ、前記イオンビームを射出するイオン源と、
回転中心を軸に回転する試料ステージとを有し、
前記イオンビームのイオンビーム中心と前記回転中心とが一致するときの前記回転中心の延在する方向をＺ方向とし、前記Ｚ方向と垂直な面をＸＹ面とすると、前記イオン源位置調整機構は、前記イオン源の前記ＸＹ面上の位置及び前記Ｚ方向の位置を調整可能とするイオンミリング装置。
【請求項２】
請求項１において、
前記試料ステージに設置され、前記回転中心を含む範囲に導電材が設けられたターゲット板と、
前記導電材で受けたイオンビーム電流を計測する電流計とを有するイオンミリング装置。
【請求項３】
請求項２において、
前記導電材は、前記回転中心を中心とする円形状を有するイオンミリング装置。
【請求項４】
請求項２において、
前記導電材は、前記回転中心を中心として同心円状に配置された、円形状の第１の導電材と、前記第１の導電材よりも径の大きい円環形状の第２の導電材とを有し、
前記第１の導電材で受けたイオンビーム電流と前記第２の導電材で受けたイオンビーム電流とを独立して計測するイオンミリング装置。
【請求項５】
請求項２において、
前記イオン源に所定の電圧を印加する電源部と、
制御部と、
表示部とを有し、
前記制御部は、前記電源部が前記イオン源に印加する放電電圧値、放電電流値、加速電圧値、前記電流計が計測するイオンビーム電流値を含むセンシングデータを収集し、前記表示部に表示するイオンミリング装置。
【請求項６】
請求項２において、
前記イオン源に所定の電圧を印加する電源部と、
制御部と、
前記制御部は、前記電流計が計測するイオンビーム電流値に基づき、前記イオン源位置調整機構により、前記イオン源の前記ＸＹ面上の位置及び前記Ｚ方向の位置を調整するイオンミリング装置。
【請求項７】
請求項６において、
前記制御部は、前記イオン源位置調整機構による前記Ｚ方向の位置の調整に代えて、または前記イオン源位置調整機構による前記Ｚ方向の位置の調整に加えて、前記電源部が前記イオン源に印加する放電電圧を調整するイオンミリング装置。
【請求項８】
試料室内に置かれた試料に非集束のイオンビームを照射することにより、前記試料を加工するイオンミリング装置のイオン源調整方法であって、
試料ステージ回転駆動源は、回転中心を含む範囲に導電材が設けられたターゲット板が設置された試料ステージを、前記回転中心を軸に回転させ、
イオン源は、前記ターゲット板に向けて前記イオンビームを照射し、
電流計は、前記導電材で受けたイオンビーム電流を計測し、
前記イオン源は、前記イオン源の位置を調整可能とするイオン源位置調整機構を介して前記試料室に取り付けられており、
前記イオン源位置調整機構により調整された前記イオン源の位置は、前記電流計により計測されるイオンビーム電流値が所定の目標を満たすように設定されるイオン源調整方法。
【請求項９】
請求項８において、
前記イオンビームのイオンビーム中心と前記回転中心とが一致するときの前記回転中心の延在する方向をＺ方向とし、前記Ｚ方向と垂直な面をＸＹ面とすると、前記イオン源位置調整機構により調整される前記イオン源の位置は、前記イオン源の前記ＸＹ面上の位置及び前記Ｚ方向の位置を含むイオン源調整方法。
【請求項１０】
請求項８において、
前記イオン源の放電電圧の値は、前記電流計により計測されるイオンビーム電流値が前記所定の目標を満たすように設定されるイオン源調整方法。
【請求項１１】
請求項８において、
前記ターゲット板に向けて前記イオンビームを照射するときの前記イオン源の射出条件は、前記試料を加工するときの前記イオン源の射出条件と等しくされるイオン源調整方法。
【請求項１２】
請求項８において、
前記所定の目標として、前記イオンビーム電流の最大値または前回加工実施時におけるイオンビーム電流値とするイオン源調整方法。
【請求項１３】
試料室内に置かれた試料に非集束のイオンビームを照射することにより、前記試料を加工するイオンミリング装置のイオン源調整方法であって、
試料ステージ回転駆動源は、回転中心を含む範囲に鏡面部材が設置された試料ステージを、前記試料ステージの傾斜角を45°に傾けた状態で、前記回転中心を軸に回転させ、
イオン源は、前記鏡面部材に向けて前記イオンビームを照射し、
前記イオン源は、前記イオン源の位置を調整可能とするイオン源位置調整機構を介して前記試料室に取り付けられており、
前記イオン源位置調整機構により調整された前記イオン源の位置は、前記鏡面部材における前記回転中心近傍が、点状または円形状に光ってみえる状態に設定されるイオン源調整方法。
【請求項１４】
請求項１３において、
前記鏡面部材に代えて、前記イオンビームに反応して発光する発光部材を前記試料ステージに設置するイオン源調整方法。
【請求項１５】
請求項１３または請求項１４において、
前記鏡面部材または前記発光部材に向けて前記イオンビームを照射するときの前記イオン源の射出条件は、前記試料を加工するときの前記イオン源の射出条件と等しくされるイオン源調整方法。
【発明の詳細な説明】
【技術分野】
【０００１】
本発明は、イオンミリング装置、及びイオンミリング装置のイオン源調整方法に関する。
【背景技術】
【０００２】
試料の内部構造を観察・分析するためには、目的とする内部構造を表面に露出させる必要がある。従来から割断や機械研磨により試料を作製する方法があるが、これらの方法は物理的な圧力を試料に印加することによる変形や傷の発生を避けることができない。イオンミリング装置は、試料（例えば、金属、半導体、ガラス、セラミックなど）の表面あるいは断面に、例えば数ｋＶに加速させた非集束のアルゴンイオンビームを照射し、スパッタリング現象により無応力で試料表面の原子を弾き飛ばし、試料表面を平滑化することができる。これは、走査電子顕微鏡（ＳＥＭ：Scanning Electron Microscope）や透過電子顕微鏡（ＴＥＭ：Transmission Electron Microscope）に代表される電子顕微鏡により試料の表面あるいは断面を観察するための平滑加工を行うために優れた特性である。【０００３】
イオンミリング装置では真空雰囲気中で試料の加工を行うため、イオンビームを発生させるイオンビーム照射部は真空容器に取り付けられている。試料を加工すると加工面より発生する試料由来の微小粒子がイオンビーム照射部に付着するため、イオンミリング装置は定期的な清掃が必要になる。このため、真空容器からイオンビーム照射部を取り外し、メンテナンス後に再度取り付けることになるが、再取り付けの際、イオンビーム照射部に取り付け誤差が生じ、イオンビーム照射部から照射されるイオンビームの照射方向がそれまでのものと変わってしまうおそれがある。【０００４】
特許文献１は、試料（ここでは基板）を基板ホルダに保持し、イオンビームの照射領域を横切るように往復運動を行わせ、イオンビーム照射部が基板にイオンビームを照射するイオンビーム照射装置を開示する。上述の課題に対し、イオンビーム照射部に正対する真空容器壁面に、照射されるイオンビームのビーム電流密度分布を測定するイオンビーム測定機構を設ける。イオンビーム測定機構によりイオンビーム中心位置を測定し、基板の往復運動のストローク中心位置をイオンビーム中心位置またはその位置に基づいて定まる所定位置に設定することにより、イオンビーム照射部に取り付け誤差が生じたとしても、基板へのイオン照射量の均一性を担保する。【０００５】
一方、近年の半導体デバイスにおいて集積度を飛躍的に高めるため、微細な立体構造を有するパターンを三次元に集積した半導体デバイスの開発が進んでいる。このような立体構造（三次元構造）パターンを集積したデバイスの製造管理のためには断面方向のパターンの評価が必要である。特許文献２は、このような立体構造パターンの深さ方向（あるいは高さ方向）の高精度な測定を実現するため、試料表面に傾斜面を形成し、パターンの深さ方向（高さ方向）の測定を行うことを開示する。
【先行技術文献】
【特許文献】
【０００６】
【特許文献１】特開２０１７−１９９５５４号公報
【特許文献２】国際公開第２０１６／００２３４１号
【発明の概要】
【発明が解決しようとする課題】
【０００７】
特許文献２では、試料表面に立体構造パターンの断面を露出させるための傾斜面を形成するために集束イオンビーム（ＦＩＢ：Focused Ion Beam）装置を用いるとしている。しかしながら、集束イオンビーム装置は加工速度が遅く、また、加工範囲も狭いため試料表面に目的とする傾斜面を形成するには時間を要する。このため、発明者らは加工速度の速い、非集束のイオンビームを用いるイオンミリング装置により傾斜面を形成させることを検討した。【０００８】
非集束のイオンビームを試料の加工のために用いる場合、その加工速度は試料に照射されるイオンビーム強度、具体的には加速電圧で印加されたイオンの速度とイオンの数、およびイオンの照射角度に依存する。ここで、イオン源から放出されるイオンビームの強度は、理想的にはイオンビーム中心が最も高く、周辺に向けて次第に強度が漸減していく二項分布の形状を有すると考えられる。しかし、イオン源から放出されるイオンビームは、イオン源を構成する電極部品の汚れや、電極部品の消耗による生成されるイオン数の揺らぎや、環境における電場等の外乱の影響を受け、試料に照射されるイオンビーム強度を一定に保ち続けることが難しい。また、試料の組成や入射角度によるミリング速度の差に起因して凹凸が形成されてしまうため、試料に非集束のイオンビームを照射して加工を行う際、イオンミリング装置ではイオンビーム中心を軸として試料を回転させながらイオンビームを照射することにより、凹凸の形成を抑え、電子顕微鏡での観察や計測に適した平滑な加工面を得ることを可能にしている。【０００９】
本発明の課題を説明する。図２Ａにはイオンミリング装置の主要部を示している。イオン源２１、試料２０を載置する試料ステージ２２、回転中心Ｒ0を軸としてＲ方向に試料ステージ２２を回転させる試料ステージ回転駆動源２３を有している。イオン源２１からのイオンビームは、イオンビーム中心Ｂ0を中心に放射状に広がった状態で、試料ステージ２２の試料載置面に載置された試料２０に照射される。本来、回転中心Ｒ0とイオンビーム中心Ｂ0とは一致することが前提であるが、イオン源２１の取り付け誤差により、図２Ａに示すように回転中心Ｒ0とイオンビーム中心Ｂ0とがεだけずれた状態になる場合がある。このとき、試料２０の表面に形成される加工深度を図２Ｂに示す。波形２５に示されるように、回転中心Ｒ0からεずれた位置である、イオンビーム強度が最も高くなるイオンビーム中心Ｂ0で加工深度が最も深くなり、そこから距離が離れるにつれて加工深度が小さくなる。これに対して、回転中心Ｒ0とイオンビーム中心Ｂ0とが一致する場合の加工深度を波形２６として示す。このように、イオン源２１の取り付け誤差により加工面の形状が本来意図した加工面よりもなだらかに、極端な場合は図２Ｂの波形２５に示されるように加工面が波打ってしまうことが分かる。特に、微細な立体構造パターンの観察や計測を行うために試料に観察面、傾斜面を形成することを意図する場合には、このような加工面の形状の変化は無視できない。【００１０】
なお、図２Ａの例ではイオンビーム中心Ｂ0が試料２０の表面（あるいは試料ステージ２２の試料載置面）に対して垂直になるようにイオンビームを照射しているが、試料ステージ２２をＣ方向に傾斜させ、イオンビームが低入射角度で試料２０表面に照射されるようにすることも可能である。これにより、広範な加工面を得ることが可能である。この場合も、試料ステージ２２は、傾斜された状態で回転中心Ｒ0を軸に回転させながら試料２０にイオンビームが照射されるため、回転中心Ｒ0とイオンビーム中心Ｂ0とがずれている（試料２０の表面において、回転中心Ｒ0とイオンビーム中心Ｂ0とが交わらない）と、同様に回転中心Ｒ0とイオンビーム中心Ｂ0とのずれが加工面の形状変化として表れ、所望の観察面、傾斜面が得られなくなるおそれがある。【００１１】
従来装置のようにイオン源を真空容器に直接取り付ける構成を採用する場合、定期的な清掃のためイオン源を着脱可能とする必要があり、イオン源および試料室のイオン源装着部の機械加工公差を０にすることができない。したがって、イオン源を再度取り付けたときに位置ずれが生じることを避けることができない。このことは、図２Ａ，Ｂを用いて説明したように、イオンミリング装置による加工精度のばらつきや加工面形状の再現性を低下させることにつながる。【００１２】
また、イオンビームはイオン源の射出口からの距離が長いほどイオンビーム径は広がり、電流・イオン密度は低下する。このため、特許文献１のようにイオンビーム測定位置が実際の試料加工位置から離れている場合、イオンビームの測定のためにイオン源に印加する電圧を、実際の加工を行うときの条件よりも高くして測定しなければならないということも考えられる。しかし、イオンビームの射出条件を変えてしまうとイオンビームのもつエネルギーが変化するため、ミリング速度が変わり、また、イオンの密度分布も変わってしまい、更には外乱の与える影響の大きさも変わってくるため、調整は実際の加工のときの射出条件と同じ条件で行うことが望ましい。このため、実際の加工時の射出条件で位置調整を行うために、イオンミリング装置のオペレータが、試料ステージ上に、例えば銅箔のような加工対象を取り付けた上で、実加工条件でのイオンビームを照射して銅箔上にビーム痕を残し、ビーム痕と回転中心Ｒ0とを一致させるよう、イオン源の位置調整を実施する場合もあった。しかし、このようなビーム痕による目視または顕微鏡観察下での調整は正確性に限界がある上に、何度もイオン源の脱着を繰り返して位置合わせをすることが必要になることが多く、リアルタイム性に欠けることからオペレータの調整負担は大きかった。【００１３】
本発明はこのような課題に鑑み、イオン源脱着後のイオンビーム中心と試料回転中心を容易、かつ、正確に調整可能なイオンミリング装置、およびイオン源調整方法を提供するものである。
【課題を解決するための手段】
【００１４】
本発明の一実施の形態であるイオンミリング装置は、試料に非集束のイオンビームを照射することにより、試料を加工するイオンミリング装置であって、試料室と、試料室に設置されるイオン源位置調整機構と、イオン源位置調整機構を介して試料室に取り付けられ、イオンビームを射出するイオン源と、回転中心を軸に回転する試料ステージとを有し、イオンビームのイオンビーム中心と回転中心とが一致するときの回転中心の延在する方向をＺ方向とし、Ｚ方向と垂直な面をＸＹ面とすると、イオン源位置調整機構は、イオン源のＸＹ面上の位置及びＺ方向の位置を調整可能とする。【００１５】
その他の課題と新規な特徴は、本明細書の記述および添付図面から明らかになるであろう。
【発明の効果】
【００１６】
イオンミリング装置の加工精度、または加工面形状の再現精度を高めることができる。また、イオンミリング装置のメンテナンス時間を短縮できる。
【図面の簡単な説明】
【００１７】
【図１】実施例１のイオンミリング装置の要部構成図である。
【図２Ａ】本発明の課題を説明する図である。
【図２Ｂ】本発明の課題を説明する図である。
【図３】試料ステージの構成例を示す図である。
【図４】イオン源の位置調整に係るブロック図である。
【図５】実施例１のイオン源の位置調整フローである。
【図６Ａ】ターゲット板における導電体の形状の一例である。
【図６Ｂ】ターゲット板における導電体の形状の別の一例である。
【図７】実施例２のイオンミリング装置の要部構成図である。
【図８】実施例２のイオン源の位置調整フローである。
【発明を実施するための形態】
【００１８】
以下、本発明の実施例を図面に基づいて説明する。
【実施例１】
【００１９】
図１は、実施例１に係るイオンミリング装置の要部構成図である。真空状態を保持可能な試料室６、イオン源１、加工時に試料（図示せず）を設置する試料ステージ２、回転中心Ｒ0を軸としてＲ方向に試料ステージ２を回転させる試料ステージ回転駆動源３を有している。なお、図２Ａに示したように、試料ステージ２は、イオンビームの入射角度を変えるための傾斜機構を有していてもよい。また、試料室６には、加工する試料を観察するための観察窓７が設けられている。【００２０】
ここで、イオン源１は、その位置をＸ方向、Ｙ方向、およびＺ方向に位置を微調整するイオン源位置調整機構５を介して試料室６に取り付けられている。これにより、イオン源１のイオンビーム中心Ｂ0の位置、具体的にはＸＹ面（Ｘ方向及びＹ方向を含む面）上の位置及び動作距離（Ｚ方向の位置、具体的にはイオン源１のイオンビーム放出位置から試料ステージ２までの距離を指す）、を微調整可能とされている。また、後述するように試料ステージ２の試料載置板は付け替え可能であって、イオン源１の位置調整を行う場合には試料載置板に代えて、イオンビームの電流を検出するための導電材４が回転中心Ｒ0を含む範囲に設置されるターゲット板が設置される。図１はこの状態を示している。【００２１】
イオン源位置調整機構５はイオン源１を固定する支持部と、イオン源位置調整機構５を試料室６に設置する基板と、基板に設けられ支持部をＸ方向、Ｙ方向、Ｚ方向に独立に移動可能なイオン源移動機構とを有する。イオン源移動機構としては例えば、マイクロメータに用いられるような精密なネジ機構を使うことでイオン源１の位置を各方向に微調整することができる。【００２２】
イオン源１に所定の電圧が印加されることにより、イオン源１からイオンビーム中心Ｂ0を中心に、放射状にイオンビームが射出され、試料ステージ２に設置した回転中心Ｒ0を含む範囲に導電材４が設けられたターゲット板を照射する。イオン源１から射出されるイオンビームは、イオンビーム中心Ｂ0で電流・イオン密度が高く、外側に向かって徐々に電流・イオン密度が低下する。また、イオン源１からの距離が長いほど電流・イオン密度が低下する。そこで、導電材４を用いてイオンビーム電流を検出し、イオンビーム電流が所望の大きさとなるようにイオン源位置調整機構５によりイオン源１の位置を微調整することにより、所望の加工精度、または加工面形状の再現精度を実現できる。【００２３】
図３に試料ステージ２の構成例を示す。導電材４を有するターゲット板３０を設置した状態を示している。ターゲット板３０は、その導電材４が導電材接続板３１と接続されるように設置される。このとき、導電材４の中心は一点鎖線で示す回転中心Ｒ0と一致する位置とされる。イオン源からのイオンビームは導電材４を中心とする領域に照射されることになるが、イオン源１からイオンビームは放射状に射出されるため、イオン源１と導電材４との距離によっては導電材４以外にもイオンビームが照射される可能性がある。このような場合に、試料ステージの他の構成部品にイオンビームが照射されたことによる電流が導電材４に流れ込むことを防止するため、導電材４の周囲のターゲット板３０は絶縁材とする。導電材接続板３１は、試料を回転させる回転シャフト３３に接続され、試料ステージ回転駆動源３により駆動される回転歯車３４の動力により導電材４を回転させるが、導電材４が受ける電流の回転シャフト３３への流れ込みを防止するため、導電材接続板３１と回転シャフト３３との間に絶縁材３２を設けて、電流の流れを遮断する。また、導電材４が受ける電流は、導電材接続板３１に接触する回転接触接点３５及びビーム電流検出配線３６により引き出され、電流値が検出される。なお、回転接触接点３５及びビーム電流検出配線３６は、ビーム電流検出配線コネクタ３７により他の構成部品とは絶縁されている。【００２４】
図４に実施例１のイオンミリング装置におけるイオン源１の位置調整に係るブロック図を示す。特に発明を限定するものではないが、ここではイオン源１としてぺニング放電によるイオン源を用いた例を示す。カソード電極１１ａ，１１ｂの間に円筒型のアノード電極１２が配置され、カソード電極１１ａ，１１ｂとアノード電極１２との間には放電電圧Ｖｄが印加される。配管１５よりアルゴンガスをイオン源１内に導入し、磁石１３によりアノード電極１２内に磁界を作用させることにより、アノード電極１２内にイオンが発生する。発生したイオンは加速電圧Ｖａが印加された加速電極１４により加速され、イオン源１からイオンビームとして放出される。【００２５】
放電電圧Ｖｄ及び加速電圧Ｖａは電源部４０により生成される。また、電源部４０は電流計を有しており、電流計４１は放電電流Ｖｄの計測、電流計４２は導電材４で受けたイオンビーム電流を計測している。なお、放電電圧Ｖｄ及び加速電圧Ｖａの値は、制御部４５により設定される。【００２６】
また、イオン源１はイオン源位置調整機構５の支持部１６に固定され、支持部１６をＸ方向、Ｙ方向、Ｚ方向に独立に移動可能なイオン源移動機構１７により、イオン源１の位置が微調整可能とされている。【００２７】
電源部４０、イオン源移動機構１７及び試料ステージ回転駆動源３は制御部４５に接続されており、制御部４５からイオンビーム射出条件を設定し、また、所定のフローに従い、イオン源の調整や試料の加工を実行する。さらに、制御部４５は表示部４６に接続されており、制御部４５に対するオペレータからのユーザインタフェースとして機能するとともに、制御部４５が収集したイオンミリング装置の動作状態を示すセンシングデータの表示なども行う。例えば、表示部４６に表示されるセンシングデータとしては、電源部４０からの放電電圧値Ｖｄ、放電電流値、加速電圧値Ｖａ、イオンビーム電流値などが含まれる。【００２８】
図４に示したイオンミリング装置において、制御部４５が実行するイオン源１の調整フローを図５に示す。【００２９】
ステップＳ５１：制御部４５は試料ステージ回転駆動源３により、試料ステージ２の回転を開始する。図４に示すように、イオン源１から射出されるイオンビームに対して導電材４の表面が垂直となるように試料ステージ２は設置されている。試料ステージ２を回転させることで、導電材４による電流の検出むらを抑制することができる。【００３０】
ステップＳ５２：制御部４５は電源部等を制御し、イオン源１からイオンビームを導電材４に照射する。このとき、電源部４０がイオン源１に印加する放電電圧Ｖｄ及び加速電圧Ｖａは試料を実際に加工するときに印加する電圧印加条件に従うものとする。これにより、試料を加工するときのイオンビームを精度よく再現することができる。【００３１】
ステップＳ５３：電流計４２によりイオンビーム電流を計測する。制御部４５は電流計４２が計測したイオンビーム電流値を取り込む。【００３２】
ステップＳ５４：制御部４５は、計測されるイオンビーム電流値があらかじめ定められた基準を満たすように、イオン源位置調整機構５を制御する。ここでは、イオン源位置調整機構５のイオン源移動機構１７は制御部４５によりモーター駆動されるものとし、まずＸ方向、続いてＹ方向に移動させて、イオンビーム電流値が最大となる位置にイオン源１のＸＹ面上の位置を調整する。その後、必要に応じてＺ方向に移動させることにより、イオンビーム電流値の値に基づき、イオン源１のイオンビーム中心Ｂ0のＸＹ面上の位置及び動作距離（Ｚ方向の位置）を微調整する。この調整例は一例であって、制御部４５の備えるアルゴリズムにしたがって、イオン源１のイオンビーム中心Ｂ0のＸＹ面上の位置及び動作距離（Ｚ方向の位置）を微調整することができる。【００３３】
例えば、イオン源位置調整機構５によるＺ方向の微調整に代えて、あるいはＺ方向の微調整に加えて、イオン源１に印加する放電電圧値Ｖｄを調整するようにしてもよい。また、イオン源１の調整を行う際に目標とするイオンビーム電流値は、イオンビーム電流の最大値に限られず、例えば、前回加工実施時におけるイオンビーム電流値のように定めてもよい。【００３４】
また、試料ステージ２において導電材４の形状の異なるターゲット板３０、またはターゲット板３０に対して形状の異なる導電材４を取り換え可能にすることもできる。例えば、図６Ａは導電材として回転中心Ｒ0を中心とする円形状の導電材６０を配置した例である。さらに、同じ円形状であっても、複数の径の同心円形状の導電材を有するターゲット板を用いることも好ましい。これにより、イオンビームの径に合わせた検出範囲を持つ導電材を用いてイオン源の調整を行うことができる。一例としては、導電材４の直径をターゲット板に照射されるイオンビーム径より小さい導電材を用い、導電材４で検知するイオンビーム電流値が最大値となるようイオン源１をＺ方向に微動させるような調整も可能である。【００３５】
一方、図６Ｂは導電材として円形状の導電材６１と導電材６１よりも径の大きい円環形状の導電材６２とを、回転中心Ｒ0を中心に同心円状に配置した例である。このとき、導電材６１で検出されるイオンビーム電流値と導電材６２で検出されるイオンビーム電流値とが電源部４０で独立して計測できるようにしておく。具体的には、試料ステージ２に導電材６１と導電材６２に対応する２系列のイオンビーム電流引き出し部を設け、電源部４０でそれぞれのイオンビーム電流値を計測する。これにより、照射されるイオンビームプロファイル（二項分布に近似できるイオンビームの広がり具合）を含めて評価することが可能になり、イオンミリング装置の加工精度、または加工面形状の再現精度をより高めることが可能になる。【００３６】
実施例１におけるイオンミリング装置について、特にそのイオン源の位置調整を中心に説明したが、種々の変形が可能なものである。例えば、制御部４５は電流計４２で計測したイオンビーム電流値を表示部４６に表示するに留め、オペレータが表示部４６に表示されるイオンビーム電流値を確認しながらイオン源位置調整機構５のイオン源移動機構１７による移動量、あるいはイオン源１の放電電圧Ｖｄを手動で調整するようにしても構わない。
【実施例２】
【００３７】
図７は、実施例２に係るイオンミリング装置の要部構成図である。実施例２は、より簡易な機構でイオンビーム中心Ｂ0と回転中心Ｒ0との位置合わせを可能とするものである。ここで、実施例１と機能の等しい構成要素については同じ符号を用い、重複する説明は省略する。【００３８】
試料室６の上方に観察用の顕微鏡（光学顕微鏡）７３が設置され、観察窓７から試料ステージ２の試料載置面が観察可能とされている。また、試料ステージ２の試料載置面には鏡面部材７１が設けられている。鏡面部材としては、イオン源１のプラズマ発光を反射可能な部材であればよく、例えば一般的な鏡の他、ウェハでもよい。鏡面部材は試料ステージの試料載置板に試料の代わりに搭載すればよい。試料ステージ２は傾斜機構を有し、Ｘ方向に延在する軸７２を中心としてＣ方向に傾斜可能である。軸７２は、試料ステージ２の試料載置面において、回転中心Ｒ0と交わる位置にある。図７では、試料ステージ２が傾斜角Ｔで傾斜している状態を示している。なお、傾斜角Ｔは、イオンビーム中心Ｂ0と試料ステージ２の試料載置面の法線とのなす角として定義される。【００３９】
このような構成のイオンミリング装置において、イオン源１の位置調整を行う方法について、図８を用いて説明する。【００４０】
ステップＳ８１：試料ステージ２をイオンビーム中心Ｂ0に対して傾斜角Ｔを45°に傾斜させる。ここで、試料ステージ２の傾斜機構は軸７２を中心に傾斜させるため、イオンビーム中心Ｂ0と回転中心Ｒ0とが一致した状態であれば、試料ステージ２の傾斜を変えてもイオン源１との距離に変化は生じない。したがって、試料加工時に傾斜角Ｔが45°以外の所望の傾斜角としても差し支えない。【００４１】
ステップＳ８２：試料ステージ回転駆動源３により、試料ステージ２の回転を開始させる。【００４２】
ステップＳ８３：イオン源１からイオンビームを鏡面部材７１に照射する。このとき、電源部４０がイオン源１に印加する放電電圧Ｖｄ及び加速電圧Ｖａは、試料を実際に加工するときに印加する電圧印加条件に従うものとする。これにより、試料を加工するときのイオンビームを精度よく再現することができる。【００４３】
ステップＳ８４：観察用顕微鏡７３により鏡面部材７１を観察し、イオン源１の射出口から放出されるプラズマ発光輝度の中心位置を確認する。イオンビーム中心Ｂ0と回転中心Ｒ0とが一致した状態であれば、鏡面部材７１の回転中心Ｒ0近傍が点状または円形状に光ってみえ、イオンビーム中心Ｂ0と回転中心Ｒ0とが一致していない状態であれば、試料ステージ２が回転していることにより円環状に光ってみえる。【００４４】
ステップＳ８５：ステップＳ８４で確認したイオン源１のプラズマ発光輝度中心位置が、試料ステージ２の回転中心Ｒ0と一致するよう、イオン源位置調整機構５によりイオン源１の位置を微調整する。【００４５】
なお、以上の例では試料ステージ２に鏡面部材７１を設置するものとして説明したが、これに代えて、イオンビームの照射により発光する発光部材、例えば、レーザー発光素子、または蛍光体を塗布した試料を設置することでも同様の効果を得ることが可能である。
【符号の説明】
【００４６】
１，２１：イオン源、２，２２：試料ステージ、３，２３：試料ステージ回転駆動源、４，６０，６１，６２：導電材、５：イオン源位置調整機構、６：試料室、７：観察窓、１１ａ，１１ｂ：カソード電極、１２：アノード電極、１３：磁石、１４：加速電極、１５：配管、１６：支持部、１７：イオン源移動機構、２０：試料、３０：ターゲット板、３１：導電材接続板、３２：絶縁材、３３：回転シャフト、３４：回転歯車、３５：回転接触接点、３６：ビーム電流検出配線、３７：ビーム電流検出配線コネクタ、４０：電源部、４１，４２：電流計、４５：制御部、４６：表示部、７１：鏡面部材、７２：軸、７３：顕微鏡。
【図１】
2019167165.tif 000003
【図２Ａ】
2019167165.tif 000004
【図２Ｂ】
2019167165.tif 000005
【図３】
2019167165.tif 000006
【図４】
2019167165.tif 000007
【図５】
2019167165.tif 000008
【図６Ａ】
2019167165.tif 000009
【図６Ｂ】
2019167165.tif 000010
【図７】
2019167165.tif 000011
【図８】
2019167165.tif 000012
【手続補正書】
【提出日】令和2年8月21日(2020.8.21)
【手続補正１】
【補正対象書類名】特許請求の範囲
【補正対象項目名】請求項６
【補正方法】変更
【補正の内容】
【請求項６】
請求項２において、
前記イオン源に所定の電圧を印加する電源部と、
制御部と、を有し、
前記制御部は、前記電流計が計測するイオンビーム電流値に基づき、前記イオン源位置調整機構により、前記イオン源の前記ＸＹ面上の位置及び前記Ｚ方向の位置を調整するイオンミリング装置。
【手続補正２】
【補正対象書類名】明細書
【補正対象項目名】００２５
【補正方法】変更
【補正の内容】
【００２５】
放電電圧Ｖｄ及び加速電圧Ｖａは電源部４０により生成される。また、電源部４０は電流計を有しており、電流計４１は放電電流の計測、電流計４２は導電材４で受けたイオンビーム電流を計測している。なお、放電電圧Ｖｄ及び加速電圧Ｖａの値は、制御部４５により設定される。
【国際調査報告】
2019167165.tif 000013
2019167165.tif 000014
2019167165.tif 000015
2019167165.tif 000016
2019167165.tif 000017
2019167165.tif 000018
2019167165.tif 000019
2019167165.tif 000020
2019167165.tif 000021
2019167165.tif 000022